(57)【特許請求の範囲】
【請求項１】
前後方向に延在する回転軸（３０）の前部に円形状の第１プレート（４２）を設け、該回転軸（３０）の後部に円形状の第２プレート（６１）を設け、前記第１プレート（４２）と第２プレート（６１）に左右方向の縦断面が六角形状のドラム（５０）を架設した脱穀装置の扱胴において、
前記回転軸（３０）に軸心視において、前記第１プレート（４２）と第２プレート（６１）におけるドラム（５０）のドラム頂部（５８）の外周部に、複数の扱歯（７１）が立設された支持部（７２）を設け、
前記第１プレート（４２）に支持部（７２）の前部を前ステー（７３）を介して連結し、
前記第２プレート（６１）に支持部（７２）の後部を後ステー（７４）を介して連結し、
前記前ステー（７３）における扱胴内周側の部位に、前記ドラム（５０）のドラム頂部（５８）が入り込む前切欠部（７３Ａ）を形成し、
前記後ステー（７４）における扱胴内周側の部位に、前記ドラム（５０）のドラム頂部（５８）が入り込む後切欠部（７４Ａ）を形成し、
前記第１プレート（４２）に前ステー（７３）を２つの前連結部材（７７）で連結し、
前記第２プレート（６１）に後ステー（７４）を２つの後連結部材（７８）で連結し、
前記回転軸（３０）に軸心視において、回転方向の上手側に位置する前記前連結部材（７７）と後連結部材（７８）を、下手側に延在するドラム側板（５９）を上手側に延在した第１仮想線（Ｌ１）よりも上手側に設け、
前記回転軸（３０）に軸心視において、回転方向の下手側に位置する前記前連結部材（７７）と後連結部材（７８）を、上手側に延在するドラム側板（５９）を下手側に延在した第２仮想線（Ｌ２）よりも下手側に設けたことを特徴とする脱穀装置の扱胴。
【請求項２】
前記回転軸（３０）に軸心視において、前記前連結部材（７７）と後連結部材（７８）を、前記回転軸（３０）を中心として前記ドラム頂部（５８）を結ぶ仮想円周線（Ｌ３）上に設けた請求項１記載の脱穀装置の扱胴。
【請求項３】
前記支持部（７２）を円筒状のパイプで形成し、前記扱歯（７１）の基部をパイプの一側から他側に貫通させて固定した請求項１又は２記載の脱穀装置の扱胴。
【請求項４】
前記支持部（７２）の内周部を、前記前ステー（７３）と後ステー（７４）の外周部に形成された半円弧状の開口部に沈込ませた請求項１〜３のいずれか１項に記載の脱穀装置の扱胴。
【請求項５】
前記回転軸（３０）における第１プレート（４２）と第２プレート（６１）の中間部に、左右方向の縦断面が六角形状の固定部（８０）を連結し、
前記ドラム（５０）を、前記第１プレート（４２）と固定部（８０）に架設される左右方向の縦断面が六角形状の前ドラム（５１）と、前記固定部（８０）と第２プレート（６１）に架設される左右方向の縦断面が六角形状の後ドラム（５５）で形成し、
前記支持部（７２）の前後方向の中間部に、前記支持部（７２）を固定部（８０）に連結する中間ステー（７５）を設け、
前記中間ステー（７５）の内周部に、前記固定部（８０）の固定部頂部（８３）から回転方向の上手側と下手側に延在する固定部側板（８２）に平行な中間切欠部（７５Ａ）を形成した請求項１〜４のいずれか１項に記載の脱穀装置の扱胴。
【発明の詳細な説明】
【技術分野】
【０００１】
本発明は、脱穀装置の扱胴に関するものである。
【背景技術】
【０００２】
従来、脱穀装置の扱室の回転軸に前後方向に所定の間隔を隔てて設けられた複数の円形状のプレートに、左右方向の縦断面が六角形に形成されたドラムを架設し、ドラムの外周部に径方向に所定の間隔を隔てて複数の扱歯を備える前後方向に延在する支持部を架設する技術が提案されている。
【先行技術文献】
【特許文献】
【０００３】
【特許文献１】特開２０１６−１８７３２７号公報
【発明の概要】
【発明が解決しようとする課題】
【０００４】
しかし、特許文献１の技術においては、扱胴に移送されてきた穀稈が、支持部や円形状のプレートと支持部を連結するボルト等の連結部材に絡み付き、連結部材に絡み付いた穀稈を頻繁に取除く必要が有り脱穀処理を効率良く行うことができないという問題があった。
【０００５】
そこで、本発明の主たる課題は、支持部やプレートと支持部を連結する連結部材に穀稈が絡み付くのを抑制して、脱穀処理を効率良く行うことができる脱穀装置の扱胴を提案することにある。
【課題を解決するための手段】
【０００６】
上記課題を解決した本発明は次のとおりである。
すなわち、請求項１記載の発明は、［請求項１］
前後方向に延在する回転軸（３０）の前部に円形状の第１プレート（４２）を設け、該回転軸（３０）の後部に円形状の第２プレート（６１）を設け、前記第１プレート（４２）と第２プレート（６１）に左右方向の縦断面が六角形状のドラム（５０）を架設した脱穀装置の扱胴において、
前記回転軸（３０）に軸心視において、前記第１プレート（４２）と第２プレート（６１）におけるドラム（５０）のドラム頂部（５８）の外周部に、複数の扱歯（７１）が立設された支持部（７２）を設け、前記第１プレート（４２）に支持部（７２）の前部を前ステー（７３）を介して連結し、前記第２プレート（６１）に支持部（７２）の後部を後ステー（７４）を介して連結し、前記前ステー（７３）における扱胴内周側の部位に、前記ドラム（５０）のドラム頂部（５８）が入り込む前切欠部（７３Ａ）を形成し、前記後ステー（７４）における扱胴内周側の部位に、前記ドラム（５０）のドラム頂部（５８）が入り込む後切欠部（７４Ａ）を形成し、前記第１プレート（４２）に前ステー（７３）を２つの前連結部材（７７）で連結し、前記第２プレート（６１）に後ステー（７４）を２つの後連結部材（７８）で連結し、前記回転軸（３０）に軸心視において、回転方向の上手側に位置する前記前連結部材（７７）と後連結部材（７８）を、下手側に延在するドラム側板（５９）を上手側に延在した第１仮想線（Ｌ１）よりも上手側に設け、前記回転軸（３０）に軸心視において、回転方向の下手側に位置する前記前連結部材（７７）と後連結部材（７８）を、上手側に延在するドラム側板（５９）を下手側に延在した第２仮想線（Ｌ２）よりも下手側に設けたことを特徴とする脱穀装置の扱胴である。
【０００７】
【０００８】
請求項２記載の発明は、前記回転軸（３０）に軸心視において、前記前連結部材（７７）と後連結部材（７８）を、前記回転軸（３０）を中心として前記ドラム頂部（５８）を結ぶ仮想円周線（Ｌ３）上に設けた請求項１記載の脱穀装置の扱胴である。
【０００９】
請求項３記載の発明は、前記支持部（７２）を円筒状のパイプで形成し、前記扱歯（７１）の基部をパイプの一側から他側に貫通させて固定した請求項１又は２記載の脱穀装置の扱胴である。
請求項４記載の発明は、前記支持部（７２）の内周部を、前記前ステー（７３）と後ステー（７４）の外周部に形成された半円弧状の開口部に沈込ませた請求項１〜３のいずれか１項に記載の脱穀装置の扱胴である。
【００１０】
請求項５記載の発明は、前記回転軸（３０）における第１プレート（４２）と第２プレート（６１）の中間部に、左右方向の縦断面が六角形状の固定部（８０）を連結し、前記ドラム（５０）を、前記第１プレート（４２）と固定部（８０）に架設される左右方向の縦断面が六角形状の前ドラム（５１）と、前記固定部（８０）と第２プレート（６１）に架設される左右方向の縦断面が六角形状の後ドラム（５５）で形成し、前記支持部（７２）の前後方向の中間部に、前記支持部（７２）を固定部（８０）に連結する中間ステー（７５）を設け、前記中間ステー（７５）の内周部に、前記固定部（８０）の固定部頂部（８３）から回転方向の上手側と下手側に延在する固定部側板（８２）に平行な中間切欠部（７５Ａ）を形成した請求項１〜４のいずれか１項に記載の脱穀装置の扱胴である。
【発明の効果】
【００１１】
請求項１記載の発明によれば、回転軸（３０）に軸心視において、第１プレート（４２）と第２プレート（６１）におけるドラム（５０）のドラム頂部（５８）の外周部に、複数の扱歯（７１）が立設された支持部（７２）を設け、第１プレート（４２）に支持部（７２）の前部を前ステー（７３）を介して連結し、第２プレート（６１）に支持部（７２）の後部を後ステー（７４）を介して連結し、前ステー（７３）における扱胴内周側の部位に、ドラム（５０）のドラム頂部（５８）が入り込む前切欠部（７３Ａ）を形成し、後ステー（７４）における扱胴内周側の部位に、ドラム（５０）のドラム頂部（５８）が入り込む後切欠部（７４Ａ）を形成したので、支持部（７２）をドラム（５０）に近接させて設けて穀稈が支持部（７２）に絡み付くのを防止して脱穀処理を効率良く行うことができる。
【００１２】
第１プレート（４２）に前ステー（７３）を２つの前連結部材（７７）で連結し、第２プレート（６１）に後ステー（７４）を２つの後連結部材（７８）で連結し、回転軸（３０）に軸心視において、回転方向の上手側に位置する前連結部材（７７）と後連結部材（７８）を、下手側に延在するドラム側板（５９）を上手側に延在した第１仮想線（Ｌ１）よりも上手側に設け、回転軸（３０）に軸心視において、回転方向の下手側に位置する前連結部材（７７）と後連結部材（７８）を、上手側に延在するドラム側板（５９）を下手側に延在した第２仮想線（Ｌ２）よりも下手側に設けた延在するドラム側板（５９）を下手側に延在した第２仮想線（Ｌ２）よりも下手側に設けたので、前連結部材（７７）と後連結部材（７８）の径方向の突出を抑制して、穀稈が前連結部材（７７）と後連結部材（７８）に絡み付くのを防止することができる。
【００１３】
請求項２記載の発明によれば、請求項１記載の発明による効果に加えて、回転軸（３０）に軸心視において、前連結部材（７７）と後連結部材（７８）を、回転軸（３０）を中心としてドラム頂部（５８）を結ぶ仮想円周線（Ｌ３）上に設けたので、前連結部材（７７）と後連結部材（７８）の径方向の突出をより抑制して、穀稈が前連結部材（７７）と後連結部材（７８）に絡み付くのをより防止することができる。
【００１４】
請求項３記載の発明によれば、請求項１又は２記載の発明による効果に加えて、支持部（７２）を円筒状のパイプで形成し、扱歯（７１）の基部をパイプの一側から他側に貫通させて固定したので、支持部（７２）に扱歯（７１）が強固に固定されて扱歯（７１）の変形を防止することができる。
【００１５】
請求項４記載の発明によれば、請求項１〜３のいずれか１項に記載の発明による効果に加えて、支持部（７２）の内周部を、前ステー（７３）と後ステー（７４）の外周部に形成された半円弧状の開口部に沈込ませたので、穀稈が支持部（７２）に穀稈が絡み付くのをより防止することができる。
【００１６】
請求項５記載の発明によれば、請求項１〜４のいずれか１項に記載の発明による効果に加えて、回転軸（３０）における第１プレート（４２）と第２プレート（６１）の中間部に、左右方向の縦断面が六角形状の固定部（８０）を連結し、ドラム（５０）を、第１プレート（４２）と固定部（８０）に架設される左右方向の縦断面が六角形状の前ドラム（５１）と、固定部（８０）と第２プレート（６１）に架設される左右方向の縦断面が六角形状の後ドラム（５５）で形成し、支持部（７２）の前後方向の中間部に、支持部（７２）を固定部（８０）に連結する中間ステー（７５）を設け、中間ステー（７５）の内周部に、固定部（８０）の固定部頂部（８３）から回転方向の上手側と下手側に延在する固定部側板（８２）に平行な中間切欠部（７５Ａ）を形成したので、支持部（７２）を強固に固定されて支持部（７２）の変形を防止することができる。
【図面の簡単な説明】
【００１７】
【図１】コンバインの正面図である。
【図２】コンバインの左側面図である。
【図３】コンバインの平面図である。
【図４】脱穀装置の前後方向の縦断面図である。
【図５】扱胴の側面図である。
【図６】同扱胴の組立説明図である。
【図７】同扱胴のロータの前部の正面図である。
【図８】同扱胴のロータの中間部の正面図である。
【発明を実施するための形態】
【００１８】
図１〜３に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後方左側に収穫された穀稈を脱穀・選別処理する脱穀装置４が設けられ、刈取前処理装置３の後方右側に操縦者が搭乗する操縦部５が設けられている。
【００１９】
操縦部５の下側にエンジンを内装するエンジンルーム６が設けられ、操縦部５の後側に脱穀・選別処理された穀粒を貯留するグレンタンク７が設けられ、グレンタンク７の後側に穀粒を外部に排出する排出オーガ８が設けられている。
【００２０】
刈取前処理装置３は、圃場の穀稈を起立させながら後側に搬送する搬送装置３Ａと、搬送装置３Ａの後側下部に搬送された穀稈の株元を切断する刈刃装置３Ｂと、搬送装置３Ａの後側に搬送された穀稈を左側に寄せ集めるオーガ装置３Ｃと、寄せ集められた穀稈を脱穀装置４に搬送するフィーダハウス３Ｄから構成されている。
【００２１】
図４に示すように、脱穀装置４は、穀稈を脱穀する扱室１０と、脱穀された穀粒を選別する選別室２０から形成されている。
【００２２】
扱室１０の前後壁には、フィーダハウス３Ｄから搬送されてくる穀稈を脱穀する扱胴１１が架設され、扱胴１１の下側には、扱胴１１の外周下部に沿って半円弧形状に形成された受網１２が設けられている。また、扱胴１１の上部は、開閉可能な扱胴カバー（図示省略）で覆われており、扱胴カバーの内周部には、穀稈を扱室１０の後部に案内する送塵板が設けられている。
【００２３】
選別室２０の上部には、扱室１０から漏下してくる穀粒を選別処理する揺動選別装置２１が設けられている。揺動選別装置２１の下部には、前側から順に、揺動選別装置２１に選別風を送風する唐箕２５と、唐箕２５の後方に選別風の送風方向を変更する風割２６と、揺動選別装置２１から漏下してくる穀粒をグレンタンク７に搬送する１番螺旋２７と、揺動選別装置２１の後部から漏下してくる枝梗等が付着した穀粒を２番処理室に搬送する２番螺旋２８が設けられている。
【００２４】
図５，６に示すように、扱胴１１は、扱室１０の前後壁に回転自在に架設される回転軸３０と、回転軸３０の前部に支持された中空の円錐台形状のインペラ４０と、回転軸３０におけるインペラ４０の後側に支持された中空の六角筒形状のドラム５０と、回転軸３０におけるドラム５０の後側に支持された中空の円筒状の円筒ドラム６０と、ドラム５０の外周部に円周方向に所定角度を隔てて設けられた前後方向に延在する扱歯支持杆のロータ７０から形成されている。
【００２５】
（回転軸）
回転軸３０の前端部には、インペラ４０の前板４１が連結される円形状の前端板３１が設けられ、回転軸３０の前部には、インペラ４０の後板（請求項における「第１プレート」）４２が連結される円形状の前板３２が設けられ、回転軸３０の後端部には、円筒ドラム６０の前板６１が連結される円形状の後板３４が設けられている。
【００２６】
回転軸３０における前板３２と後板３４の前後方向の中間部には円形状の中板３３が設けられ、中板３３の後面には、ロータ７０の前後方向の中間部を支持する中空の六角筒形状の固定部８０が設けられている。
【００２７】
固定部８０の前板８１の前面は、回転軸３０の中板３３の後面に、前板８１の後方から前方に挿入されたボルトによって連結され、円筒ドラム６０の前板６１の前面は、回転軸３０の後板３４の後面に、前板６１の後方から前方に挿入されたボルトによって連結されている。
【００２８】
（インペラ）
インペラ４０は、円形状の前板４１と、前板４１よりも径が大きい円形状の後板４２と、前板４１と後板４２の外周部を連結する測板４３から形成されている。
【００２９】
側板４３の外周面には、インペラ４０の前部に搬送された穀稈をインペラ４０の後部に搬送する上下一対の搬送螺旋４４が立設されている。これにより、インペラ４０に移送されてきた穀稈をインペラ４０の前部から後部に効率よく搬送してロータ７０に移送することができる。
【００３０】
搬送螺旋４４の前面には、円周方向に所定角度を隔てて側板４３と搬送螺旋４４の前面下部を連結する略三角形状の補強リブ４５が設けられている。これにより、搬送螺旋４４の剛性を高めて、穀稈から搬送螺旋４４に加わる負荷による搬送螺旋４４の変形を抑制することができる。
【００３１】
回転軸３０の前端板３１の前面は、インペラ４０の前板４１の後面に、前板４１の前方から後方に挿入される締結手段であるボルトによって連結され、回転軸３０の前板３２の前面は、インペラ４０の後板４２の後面に、前板３２の後方から前方に挿入されるボルトによって連結されている。
【００３２】
（ドラム）
ドラム５０は、インペラ４０の後板４２と固定部８０の前板８１に連結される左右方向の縦断面が六角形状の前ドラム５１と、固定部８０の側板８２と円筒ドラム６０の前板（請求項における「第２プレート」）６１に連結される左右方向の縦断面が六角形状の後ドラム５５から形成されている。
【００３３】
前ドラム５１は、前ドラム５１の一側を形成する上側前ドラム５２と他側を形成する下側前ドラム５３から形成されている。なお、上側前ドラム５２の側板５９Ａの下端部と下側前ドラム５３は側板５９Ａの上端部をボルトで連結することにより前ドラム５１を形成することができる。これにより、前ドラム５１を容易に形成することができる。
【００３４】
上側前ドラム５２の前端部には、径方向の内側に向かって延在する上側前連結部５２Ａが形成され、上側前ドラム５２の後端部には、径方向の内側に向かって延在する上側後連結部５２Ｂが形成されている。また、下側前ドラム５３の前端部には、径方向の内側に向かって延在する下側前連結部５３Ａが形成され、下側前ドラム５３の後端部には、径方向の内側に向かって延在する下側後連結部５３Ｂが形成されている。これにより、前ドラム５１を上側前連結部５２Ａと下側前連結部５３Ａを介してインペラ４０の後板４２に容易に連結することができ、上側後連結部５２Ｂと下側後連結部５３Ｂを介して固定部８０の前板８１に容易に連結することができる。
【００３５】
上側前ドラム５２の上側頂部５８Ａから回転方向の上手側に延在する側板５９Ａと下手側に延在する側板５９Ａには、開口部５２Ｃが形成され、開口部５２Ｃは、着脱自在な左右方向の縦断面が三角形状の覆い材５２Ｄで覆われている。また、下側前ドラム５３の下側頂部５８Ａから回転方向の上手側に延在する側板５９Ａと下手側に延在する側板５９Ａには、開口部５３Ｃが形成され、開口部５３Ｃは、着脱自在な左右方向の縦断面が三角形状の覆い材５３Ｄで覆われている。これにより、開口部５２Ｃ、５３Ｃから器具を挿入して、前ドラム５１をインペラ４０の後板４２と固定部８０の前板８１に容易に連結することができる。なお、インペラ４０から移送されてくる穀稈を効率よく後方に搬送するために、前ドラム５１の頂部５８Ａをインペラ４０の搬送螺旋４４の終端部の後方に位置させるのが好ましい。
【００３６】
前ドラム５１の上側前連結部５２Ａと下側前連結部５３Ａの前面は、インペラ４０の後板４２の後面に、上側前連結部５２Ａと下側前連結部５３Ａの後方から前方に挿入されるボルトによって連結されている。また、前ドラム５１の上側後連結部５２Ｂと下側後連結部５３Ｂの後面は、固定部８０の前板８１の前面に、前板８１の後方から前方に挿入されるボルトによって連結されている。
【００３７】
後ドラム５５は、後ドラム５５の一側を形成する上側後ドラム５６と他側を形成する下側後ドラム５７から形成されている。なお、上側後ドラム５６の側板５９Ｂの下端部と下側後ドラム５７は側板５９Ｂの上端部をボルトで連結することにより後ドラム５５を形成することができる。これにより、後ドラム５５を容易に形成することができる。なお、本実施形態においては、前ドラム５１と後ドラム５５の径方向の大きさを同一にしているが、後ドラム５５の径方向の大きさを前ドラム５１よりも小さく形成することもできる。
【００３８】
上側後ドラム５６の後端部には、径方向の内側に向かって延在する上側後連結部５６Ｂが形成されている。また、下側後ドラム５７の後端部には、径方向の内側に向かって延在する下側後連結部５７Ｂが形成されている。これにより、後ドラム５５を上側後連結部５２Ｂと下側後連結部５３Ｂを介して円筒ドラム６０の前板６１に容易に連結することができる。なお、上側後ドラム５６に上側前ドラム５２と同様な開口部を形成し、下側後ドラム５７に下側前ドラム５３と同様な開口部を形成することもできる。
【００３９】
後ドラム５５の前部の内周面は、固定部８０の側板８２の外周面に、後ドラム５５の前部の径方向の外方から内方に挿入されるボルトによって連結されている。また、後ドラム５５の上側後連結部５６Ｂと下側後連結部５７Ｂの後面は、円筒ドラム６０の前板６１の前面に、前板６１の後方から前方に挿入されるボルトによって連結されている。
【００４０】
（円筒ドラム）
円筒ドラム６０は、円形状の前板６１と、前板６１の後面に形成された円筒状の筒部６２と、筒部６２の後部を覆う円形状の覆い材６３と、覆い材６３の後面に装着される前後方向の縦断面がチェンネル形状の後板６４から形成されている。これにより、扱胴１１に搬送されてきた穀稈が回転軸３０の後部に巻き付くのを防止することができる。
【００４１】
（ロータ）
ロータ７０は、複数の丸棒状の扱歯７１と、扱歯７１の基部を支持する丸パイプ状の支持部７２と、支持部７２の前部に連結された前後方向の縦断面がアングル形状の前ステー７３と、支持部７２の後部に連結された前後方向の縦断面がアングル形状の後ステー７４と、支持部７２の前後方向の中心部に連結された前後方向の縦断面がチェンネル形状の中間ステー７５から形成されている。これにより、ロータ７０の前部を前ステー７３を介してインペラ４０の後板４２に容易に連結することができ、ロータ７０の後部を後ステー７４を介して円筒ドラム６０の前板６１に容易に連結することができ、ロータ７０の前後方向の中間部を中間ステー７５を介して固定部８０の側板８１に容易に連結することができる。
【００４２】
支持部７２には、前後方向に所定の間隔を隔てて扱歯７１が支持され、支持部７２の後部には、穀稈を扱胴１１の後部から外部に勢いよく排出するために板形状の跳ね出し板７６が着脱自在に支持されている。これにより、ドラム５０の後部に搬送されてきた穀稈を扱胴１１の外部に勢いよく放出することができる。
【００４３】
ロータ７０の前ステー７３の前面は、インペラ４０の後板４２の後面に、前ステー７３の後方から前方に挿入されるボルトによって連結されている。また、ロータ７０の後ステー７４の後面は、円筒ドラム６０の前板６１の前面に、後ステー７４の前方から後方に挿入されるボルトによって連結されている。
【００４４】
ロータ７０の中間ステー７５の内周面は、固定部８０の側板８２の外周面に、中間ステー７５の径方向の外方から内方に挿入されるボルトによって連結されている。また、中間ステー７５の径方向の長さは、前ステー７３と後ステー７４の径方向の長さよりも長く形成されている。これにより、ドラム５０とロータ７０の間に形成される空間の連続性を確保して、穀稈をドラム５０の外周面に沿って後方に効率よく搬送することができる。
【００４５】
図７に示すように、支持部７２の前ステー７３は、インペラ４０の後板４２における前ドラム５１の頂部５８Ａの外周部に近接して連結されている。また、前ドラム５１の頂部５８Ａに対向する前ステー７３の内周部には、前ドラム５１の頂部５８Ａから回転方向の上手側に延在する側板５９Ａと下手側に延在する側板５９Ａに平行になるように前切欠部７３Ａが形成されている。これにより、前ドラム５１の頂部５８Ａに支持部７２の前ステー７３を近接させて連結することができ、インペラ４０の後板４２に支持部７２の前ステー７３を連結するボルト（請求項における「前連結部材」）７７の径方向の突出を抑制してボルト７７に穀稈が絡まるのを防止することができる。
【００４６】
インペラ４０の後板４２に支持部７２の前ステー７３を連結する回転方向の上手側のボルト７７は、前ドラム５１の頂部５８Ａの回転方向の下手側の側板５９Ａを回転方向の上手側に延在する第１仮想線Ｌ１よりも回転方向の上手側に設け、インペラ４０の後板４２に支持部７２の前ステー７３を連結する回転方向の下手側のボルト７７は、前ドラム５１の頂部５８Ａの回転方向の上手側の側板５９Ａを回転方向の下手側に延在する第２仮想線Ｌ２よりも回転方向の下手側に設けるのが好ましい。これにより、インペラ４０の後板４２に支持部７２の前ステー７３を連結するボルト７７の径方向の突出をより抑制してボルト７７に穀稈が絡まるのをより防止することができる。
【００４７】
また、インペラ４０の後板４２に支持部７２の前ステー７３を連結する回転方向の上手側のボルト７７と下手側のボルト７７を、前ドラム５１の中心を中心として前ドラム５１の頂部５８Ａを結ぶ仮想円周線Ｌ３上に位置させるのが好ましい。これにより、インペラ４０の後板４２に支持部７２の前ステー７３を連結するボルト７７の径方向の突出をさらに抑制してボルト７７に穀稈が絡まるのをさらに防止することができる。
【００４８】
同様に、支持部７２の後ステー７４は、円筒ドラム６０の前板６１における後ドラム５５の頂部５８Ｂの外周部に近接して連結されている。また、後ドラム５５の頂部５８Ｂに対向する後ステー７４の内周部には、後ドラム５５の頂部５８Ｂから回転方向の上手側に延在する側板５９Ｂと下手側に延在する側板５９Ｂに平行になるように後切欠部７４Ａが形成されている。これにより、後ドラム５５の頂部５８Ｂに支持部７２の後ステー７４を近接させて連結することができ、円筒ドラム６０の前板６１に支持部７２の後ステー７４を連結するボルト（請求項における「後連結部材」）７８の径方向の突出を抑制してボルト７８に穀稈が絡まるのを防止することができる。
【００４９】
円筒ドラム６０の前板６１に支持部７２の後ステー７４を連結する回転方向の上手側のボルト７８は、後ドラム５５の頂部５８Ｂの回転方向の下手側の側板５９Ｂを回転方向の上手側に延在する仮想線Ｌ１よりも回転方向の上手側に設け、円筒ドラム６０の前板６１に支持部７２の後ステー７４を連結する回転方向の下手側のボルト７８は、後ドラム５５の頂部５８Ｂの回転方向の上手側の側板５９Ｂを回転方向の下手側に延在する仮想線Ｌ２よりも回転方向の下手側に設けるのが好ましい。これにより、円筒ドラム６０の前板６１に支持部７２の後ステー７４を連結するボルト７８の径方向の突出をより抑制してボルト７８に穀稈が絡まるのをより防止することができる。
【００５０】
また、円筒ドラム６０の前板６１に支持部７２の後ステー７４を連結する回転方向の上手側のボルト７８と下手側のボルト７８を、後ドラム５５の中心を中心として後ドラム５５の頂部５８Ｂを結ぶ仮想円周線Ｌ３上に位置させるのが好ましい。これにより、円筒ドラム６０の前板６１に支持部７２の後ステー７４を連結するボルト７８の径方向の突出をさらに抑制してボルト７８に穀稈が絡まるのをさらに防止することができる。なお、本明細書においては、頂部５８Ａと頂部５８Ｂを総称して頂部（請求項における「ドラム頂部」）５８といい、側板５９Ａと側板５９Ｂを総称して側板（請求項における「ドラム側板」）５９という。
【００５１】
図８に示すように、支持部７２の中間ステー７５は、固定部ラ８０の頂部（請求項における「固定部頂部」）８３に連結されている。また、固定部ラ８０の頂部８３に対向する中間ステー７５の内周部には、固定部ラ８０の頂部８３から回転方向の上手側に延在する側板（請求項における「固定部側板」）８２と下手側に延在する側板８２に平行になるように中間切欠部７５Ａが形成されている。これにより、固定部８０の頂部８３に支持部７２の中間ステー７５を係合させて強固に連結することができる。
【００５２】
図７，８に示すように、扱歯７１は、回転方向に対して所定の後退角を持って、支持部７２に支持されている。これにより、インペラ４０からドラム５０に移送されてきた穀稈をドラム５０の前部から後部に効率よく搬送することができる。なお、図中の矢印は、扱胴１１の回転方向を示している。
【００５３】
扱歯７１は、支持部７２の外周部と内周部の２箇所に支持されている。これにより、扱歯７１を支持部７２に強固に固定することができる。また、支持部７２の前下部は、前ステー７３の外周部に形成された半円弧状の溝内に固定され、支持部７２の中間下部は、中間ステー７５の外周部に形成された半円弧状の溝内に固定され、支持部７２の後下部は、後ステー７４の外周部に形成された半円弧状の溝内に固定されている。これにより、支持部７２を前ステー７３と、中間ステー７５と、後ステー７４で強固に支持することができる。
【符号の説明】
【００５４】
３０      回転軸
４２      後板（第１プレート）
５０      ドラム
５１      前ドラム
５５      後ドラム
５８      頂部（ドラム頂部）
５９      側板（ドラム側板）
６１      前板（第２プレート）
７１      扱歯
７２      支持部
７３      前ステー
７３Ａ    前切欠部
７４      後ステー
７４Ａ    後切欠部
７５      中間ステー
７５Ａ    中間切欠部
７７      ボルト（前連結部材）
７８      ボルト（後連結部材）
８０      固定部
８２      側板（固定部側板）
８３      頂部（固定部頂部）
Ｌ１      第１仮想線
Ｌ２      第２仮想線
Ｌ３      仮想円周線
【図１】
0006975411.tif 000002
【図２】
0006975411.tif 000003
【図３】
0006975411.tif 000004
【図４】
0006975411.tif 000005
【図５】
0006975411.tif 000006
【図６】
0006975411.tif 000007
【図７】
0006975411.tif 000008
【図８】
0006975411.tif 000009